Podtech/llm-jp-corpus-v4-ja_patent huggingface dataset:
(57)【要約】      （修正有）【課題】女性の羞恥と不便という不満を解消し、利用に便利でお洒落の時に使うアパレルの新しいタイプの付けブラパット（内蔵ブラジャー）を提供する。【解決手段】洋服の内部にブラパットを内蔵して、調節締め付けは、背中内部の紐で行う。【選択図】図１
0003132651.tif 000002
【実用新案登録請求の範囲】
【請求項１】
従来のキャミソールやＴシャツやブルゾンなど若い女性のものには、おばさんのならあるが、ブラカップが内部についてなかったりクッション木綿のようなものがついてなくて娘さんはブラの紐を出したりせざる得なかった。
「それがファッション」といわれ、騙され、仕方なくだしていたのである。
ノーブラなら乳首やバストがハッキリみえてしまうし  ヌーブラは高い。
そこで今回の発明。そういうものをＴシャツやブルゾン  キャミソールなどの服に内部にカップなりクッション素材をつけてバストを抑えるのである。高齢者用
0003132651.tif 000003
【考案の詳細な説明】
【技術分野】
【０００１】この考案は、おもに服に関するものである。
【考案の開示】
【考案が解決しようとしている課題】
【０００２】上記同じ。服の不便を解消する。
【考案が解決しようとする課題】
【０００３】上記同じ。
【考案の効果】
【０００４】上記同じ。
0003132651.tif 000004
【手続補正書】
【提出日】平成18年8月31日(2006.8.31)
【手続補正１】
【補正対象書類名】実用新案登録請求の範囲
【補正対象項目名】全文
【補正方法】変更
【補正の内容】
【実用新案登録請求の範囲】
【請求項１】
従来のキャミソールＴシャツブルゾンなど若い娘さんの服にはブラパッドがついてなかったためつけて便利にする。
【手続補正２】
【補正対象書類名】明細書
【補正対象項目名】全文
【補正方法】変更
【補正の内容】
【考案の詳細な説明】
【技術分野】
【０００１】  キャミソールＴシャツ等のつけパッド
【考案が解決しようとしている課題】
【０００２】  従来のキャミソールＴシャツブルゾンなど若い娘さんの服にはブラパッドがついてなかったためつけて便利にする。
【考案が解決しようとしている課題】
【０００３】  従来のキャミソールＴシャツブルゾンなど若い娘さんの服にはブラパッドがついてなかったためつけて便利にする。
【考案の効果】
【０００４】  従来のキャミソールＴシャツブルゾンなど若い娘さんの服にはブラパッドがついてなかったためつけて便利にする。
【図面の簡単な説明】
【０００５】
【図１】キャミソールＴシャツブルゾンなど若い娘用服とブラパッド
【手続補正３】
【補正対象書類名】図面
【補正対象項目名】全図
【補正方法】変更
【補正の内容】
【図１】
0003132651.tif 000005
【手続補正書】
【提出日】平成19年2月2日(2007.2.2)
【手続補正１】
【補正対象書類名】実用新案登録請求の範囲
【補正対象項目名】全文
【補正方法】変更
【補正の内容】
【実用新案登録請求の範囲】
【請求項１】
キャミソールやＴシャツやブルゾンの若い娘さんの服（１）にブラパッド（２）が内蔵されており、締め付けは内部背後の紐
お洒落時に使うアパレルの新しいタイプで  ブラジャーをしなくてもいいためにブラジャー（ブラパッド）が内蔵されている洋服である
【手続補正２】
【補正対象書類名】明細書
【補正対象項目名】全文
【補正方法】変更
【補正の内容】
【考案の詳細な説明】
【技術分野】
【背景技術】
【０００１】  キャミソールやＴシャツやブルゾンの若い娘さんの服（１）にブラパッド（ブラジャー）（２）が内蔵されており、締め付け内部背後の紐
お洒落時に使うアパレルの新しいタイプで、ブラジャーをしなくてもいいためにブラジャーが内蔵されている洋服である。
洋服としては、ブラパッド機能に限界があり不便であった。
【技術背景】
【０００２】洋服（１）の内部にブラパッド（２）を内蔵して調節締め付けは背中内部の紐で行うことによる考案によるもので女性の不満を解決する技術部品である。
【考案が解決しようとしている課題】
【０００３】洋服（１）の内部にブラパッド（２）を内蔵して調節締め付けは背中内部の紐で行うことによる考案によるもので女性の不満を解決する技術部品である。
ブラジャーが洋服に内蔵されているアパレル洋服である
【考案が解決しようとする手段】
【０００４】洋服（１）の内部にブラジヤー（２）がついており  着服時に使う内部アパレル
【考案の効果】
【０００５】
0003132651.tif 000006
で行うことによる考案によるもので女性の不満を解決する技術部品である。
【考案を実施するための最良の形態】
【０００６】内蔵されたブラジャー（２）をバストに当てて内蔵された背中の紐で調節し、袖を通す洋服（１）であり  胸の安定と胸を止めて、お洒落する実願新案。
【実施例１】
【０００７】洋服（１）の内部にラジャー（２）を内蔵して調節締め付けは背中内部の紐で行うことによる考案によるもので女性の不満を解決する技術部品である。
【図面の簡単な説明】
【０００８】
【図１】洋服におけるブラパットの実願図
【符号の説明】
【０００９】１は、洋服
２は、ブラパット（ブラジャー）
【手続補正３】
【補正対象書類名】図面
【補正対象項目名】全図
【補正の内容】
【図１】
0003132651.tif 000007
(57)【要約】      （修正有）【課題】公道を走行中に、後続車両が容易に追い越しできるように、道路の状況やタイミングをみて、後部表示灯を点灯させ、前方車両の運転者の意思を速やかに後続車両の運転者に認識させる。【解決手段】透明な球体が各文字の字画に沿って配分されていることを特徴とする文字盤１と、内部には乱反射を確実にするためのつや消しの凹面鏡を備えたホルダーとを組合せた、自動車用透明文字盤つき電光後部表示灯。【選択図】図１
0003132675.tif 000002
【実用新案登録請求の範囲】
【請求項１】
透明な球体が各文字の字画に沿って配分されていることを特徴とする文字盤と、内部には乱反射を確実にするためのつや消しの凹面鏡を備えたホルダーとを組合せた、自動車の後部表示灯。
【請求項２】
ホルダー正面の上下にガイドレールを設け、文字盤をガイドレール上でスライドし、ホルダー内部を露出させ電球の交換を行う。
【請求項３】
ホルダー正面の周囲をかたどる縁には、透明な両面粘着テープを用いて車両のリヤウィンドウにホルダー本体ごと取り付ける。
【考案の詳細な説明】
【技術分野】
【０００１】  本考案は、凹面鏡を備えた発光本体ホルダーと、透明文字盤とを組み合せた電光表示板である。
【背景技術】
【０００２】  自動車の運転免許を取得する時は、道をゆずる時のサインの出し方として、右側方向指示器を繰り返し点滅させるよう、教習所で教えられるが、実際の路上では、実行している車両をおよそ見かけないし、サインを出してもなかなか反応が見られない。
【考案が解決しようとする課題】
【０００３】  後続車両の中には、前方の車両を急追し、むやみに恐怖感をもたせるものが多く見られ、ひいては交通安全上人命にかかわる、ゆゆしき問題であり、解決がはかられるべきことである。
【課題を解決するための手段】
【０００４】  このような場合、後続車両が容易に追い越しできるように、道路の状況とタイミングをみて、後部表示灯を点灯させ、前方車両の運転者の意思を速やかに後続車両の運転者に認識させ問題点を解決するものである。
【考案の効果】
【０００５】  構造がきわめて簡単であり、この表示灯が果たす目的からみても他に例をみない低廉なコストで、便利さを広くドライバーに提供することに役立つ。
【考案の実施するための最良の形態】
【０００６】    発光体を内蔵するホルダーに文字盤を組み合わせ、ホルダーの周囲の縁板につけられた透明な両面粘着テープによって自動車のリャウィンドウに装着し、一端にスウイッチが取り付けられた電気コードとつなぐ。
【実施例】
【０００７】  後続車両が滞ったとき、表示灯にスイッチを入れ、後続車両の運転者に前方車両の運転者の意思を速やかに伝える。
【図面の簡単な説明】
【０００８】
【図１】本考案の文字盤の実施例を示す正面図である。
【図２】本考案の文字盤の切断面を示す側面図である。
【図３】本考案の文字盤ホルダーの内側を覗視する正面図である。
【図４】本考案の文字盤ホルダーの切断面を示す右側面図である。
【図５】本考案の文字盤ホルダーと文字盤との組み合わせを示す概観図である。
【図６】本考案の文字盤ホルダーの内側を覗視する概観図である。
【符号の説明】
【０００９】  １  電光文字盤
２  透明の球体
３  透明の球体と一体の文字基盤
４  電球
５  凹面つや消し反射板
６  側方斜めつや消し反射板
７  ホルダー外周板
８  ホルダー本体カバー
９  ガイドレール
１０  透明な両面粘着テープ
【図１】
0003132675.tif 000003
【図２】
0003132675.tif 000004
【図３】
0003132675.tif 000005
【図４】
0003132675.tif 000006
【図５】
0003132675.tif 000007
【図６】
0003132675.tif 000008
【手続補正書】
【提出日】平成18年12月21日(2006.12.21)
【手続補正１】
【補正対象書類名】図面
【補正対象項目名】全図
【補正方法】変更
【補正の内容】
【図１】
0003132675.tif 000009
【図２】
0003132675.tif 000010
【図３】
0003132675.tif 000011
【図４】
0003132675.tif 000012
【図５】
0003132675.tif 000013
【図６】
0003132675.tif 000014
【手続補正書】
【提出日】平成19年2月28日(2007.2.28)
【手続補正１】
【補正対象書類名】実用新案登録請求の範囲
【補正対象項目名】全文
【補正方法】変更
【補正の内容】
【実用新案登録請求の範囲】
【請求項１】
透明な球体が各文字の字画に沿って配分されていることを特徴とする文字盤と、内部には乱反射を確実にするためのつや消しの凹面鏡を備えたホルダーとを組合せた、自動車用透明文字盤つき電光後部表示灯。
【請求項２】
ホルダー正面の上下にガイドレールを設け、文字盤をガイドレール上でスライドし、ホルダー内部を露出させ電球の交換を行うことを特徴とする請求項１記載の電光後部表示灯。
【請求項３】
ホルダー正面の周囲をかたどる縁には、透明な両面粘着テープを用いて車両のリヤウインドウにホルダー本体ごと取り付けることを特徴とする請求項１記載の電光後部表示灯。
(57)【要約】      （修正有）【課題】家紋とラッキーカラーの組み合わせの理由を充分納得のできる説明をする。そして、日常必需品であるスカーフやネッカチーフ、ハンカチーフですので日替わりで使用しても、装飾的、実用的にも満足できる清潔にして美しい……の評価が得られるようにする。【解決手段】私達はご先祖なくして何人も存在しない訳で、その先祖・家の象徴である家紋を毎日身につけることは、それだけでもご先祖様の加護があるというもの、家紋の意味の解説に努めます。そして、日常必需品であるスカーフやネッカチーフ、ハンカチーフを日替わりで使用することになるので、習慣ずき自然に清潔や美意識が高まります。【選択図】図１
0003132676.tif 000002
【実用新案登録請求の範囲】
【請求項１】
円略円四角矩形略角花形草木の葉形など１２色の星占いのラッキーカラーのスカーフやハンカチ、マフラーなどに家紋や紋章、店名や星座シンボルイラストを刺繍や墨染色で表示したラッキーカラーの製品。
【請求項２】
靴下、臑隠し（レッグウオマー）、手袋、浴衣、帯、紐、パンツ、肌着、枕カバー、コップ敷き、コースターや敷き皿に家紋や紋章、店名や星座シンボルイラストを刺繍や墨染色で表示したラッキーカラーの製品。
【請求項３】
請求項１に色名などを、他国語や日本語の漢字、ひらがな、カタカナ、物象語、桃色や蜜柑色などと表示、または家紋や紋章、店名や星座シンボルイラストを刺繍や墨染色で表示したラッキーカラーの製品。
【考案の詳細な説明】
【技術分野】
【０００１】  本考案は、星占いによるラッキーカラーに関するものです。
特に日替わりで容易に身につけられる、スカーフやネッカチーフ、ハンカチーフなどをラッキーカラーで製作し、家紋や色別名を組み合わせて表示します。
家紋には、ご先祖様の子孫繁栄幸せの願望が込められていますので、家紋を身につけていることは、いまある幸せのお礼申し上げ、今日もま明日ものご加護をお願いすることにつながります。
家紋や色別名を表示したラッキーカラーの携帯は、精神的なゆとりと力になります。またスカーフやネッカチーフ、ハンカチは、生活に常時必要なものですし、清潔に洗濯して再度の使用ができますから便利で役立ちます。
【背景技術】
【０００２】  従来も現在もラッキーカラースカーフに家紋や色別名を表示したものを、目にしたことがありませんし、特にスカーフやハンカチーフもありません。
現在本案のラッキーカラースカーフ製品や商品も無いので、本考案の商品が最初のものとなりましょう。
【考案が解決しようとする課題】
【０００３】  従来の技術で述べましたが、本考案の商品が最初のものとなるので、特に家紋とラッキーカラーの組み合わせの理由を納得できる説明が必要なこと。
第二は、日常必需品であるスカーフやネッカチーフ、ハンカチーフですが、装飾として優れアクセサリーとして評価が得られるものを製作することです。
第三は、製品価格を安価にし多数の人が、楽しめるものにすることです。
【課題を解決するための手段】
【０００４】  上記第一の課題は、私達はご先祖なくして何人も存在しない訳で、その先祖・家の象徴である家紋を毎日身につけることは、それだけでもご先祖様の加護があるというもの、家紋の意味の解説に努めます。
第二の課題は、日常必需品であるスカーフやネッカチーフ、ハンカチーフを日替わりで使用することになるので、習慣ずき自然に清潔や美意識が高まります。
第三の製品の価格の課題ですが、ラッキーカラーは１２色ですから１２枚セット商品となります。ですから割安価格にできます。経済的にもプラスになります。
【考案を実施するための最良の形態】
【０００５】  考案の実施の形態について、図面により説明します。
図１は、「家紋」をラッキーカラースカーフにつけた一例の説明図です。
Ａ．はスカーフ、ネッカチーフ、ハンカチ本体。
Ｂ．は「家紋」。で、中央部に付けた一例。
Ｃ．は「家紋」。で、四隅につけた一例。
図２は、ラッキーカラー名（色の名）を表示した一例の説明図です。
Ａ．はスカーフ・ネッカチーフ、ハンカチ本体。
Ｂ．は『英字』による色名。で、隅につけた一例。
Ｃ．は「漢字」による色名。で、中央部に付けた一例。隅につけた一例。
Ｄ．一辺だけに付けた例。
【考案の効果】
【０００６】  本考案は上述の通りです。
【０００７】本考案のラッキーカラーネッカチーフやハンカチーフは、良い日でありたいと願う日ちびとの心の支えになります。
【０００８】本考案のもう一つの要点は、日本の伝統文化の「家紋」の継承と普及、先祖崇拝の効果が上げられます。
【０００９】上記の「ラッキーカラーネッカチーフやハンカチーフ」の、常用化は身だしなみや正しい日常生活の習慣付けなどの効果を上げることができます。
【図面の簡単な説明】
【００１０】
【図１】は「家紋」をラッキーカラーネッカチーフに付けた一例の説明図です。
【図２】は、「色名」をラッキーカラーハンカチーフに付けた一例の説明図です。
【符号の説明】
図１のＡ．はスカーフ・ネッカチーフ・ハンカチ本体。
Ｂ．は「家紋」。で中央部に付けた一例。
Ｃ．は「家紋」。での四隅につけた一例。
図２のＡ．はスカーフ・ネッカチーフ・ハンカチ本体。
Ｂ．は「色名を英語表記」。で、隅につけた一例。
Ｃ．は「色名を日本語表記」。で、中央部に付けた一例。
Ｄ．は「色名を日本語表記」。で、一辺につけた一例
【図１】
0003132676.tif 000003
【図２】
0003132676.tif 000004
【手続補正書】
【提出日】平成19年3月7日(2007.3.7)
【手続補正１】
【補正対象書類名】実用新案登録請求の範囲
【補正対象項目名】全文
【補正方法】変更
【補正の内容】
【実用新案登録請求の範囲】
【請求項１】
家紋や紋章、星座マ−ク、星座イラストを刺繍や染料により表示した星占いのラッキーカラーのハンカチ、手拭い、スカーフ、マフラー、手袋、靴下、パンツ、シャツ、帽子ー、浴衣、帯、紐、枕カバー、コップ、コースターの各商品。
【請求項２】
家紋や紋章、星座マ−ク、星座イラストとラッキ−カラ−名、星占い星座名を刺繍や染料により表示した請求項１の各商品。
【請求項３】
請求項１の家紋や紋章、星座マ−ク、星座イラスト、ラッキ−カラ−名、星占い星座名を刺繍や染料により表示した、星占いのラッキーカラーのワッペン、布札、プラスチックや木製の札。
(57)【要約】      （修正有）【課題】警察官等が事故現場等、緊急事態に強化ガラスの破摧を容易に、且つ瞬時に行える、車両事故等で車内からの人員の脱出を救助するための車輌のフロントガラス、窓等の強化ガラスを破摧するために使用する常時携帯する警棒を提供する。【解決手段】警察官等が巡回中又交通警察官がパトロール中等の出動中携帯が義務付けられている警棒１の長手方向の持手部即ち、握り部の後端部３に該ガラス破摧器の要部を埋め込み蓋体を螺嵌状に被せて形成したものであって必要時にあっては、蓋体８を回動させ蓋体中央部に設けた貫通孔９より先端部が鋭角に形成した砲弾の頭部状の先端部位が突出するものであって該突出した突起で強化ガラスを殴打破摧するものである。【選択図】図１
0003132208.tif 000002
【実用新案登録請求の範囲】
【請求項１】
警察官等が常時携帯する警棒の基部即ち握り部の後端部へ伸縮自在とした強化ガラス破摧器を装置した警棒。
【請求項２】
現在使用中の警棒へ上記の破摧器を新規に装置することを可能とした請求項１に記載の強化ガラス破摧器を装置した警棒。
【請求項３】
上記、警棒に装置する強化ガラス破摧器は冠着状の蓋体が上下に回動する機構を有した請求項１に記載の強化ガラス破摧器を装置した警棒。
【請求項４】
上記の強化ガラス破摧器の冠着状の蓋体を空転状に回動する機構とした請求項１に記載の強化ガラス破摧器を装置した警棒。
【考案の詳細な説明】
【技術分野】
【０００１】  本考案は警察官等が車両事故等で車内からの人員の脱出を救助するための車輛のフロントガラス、窓等の強化ガラスを破摧するために使用する常時携帯する警棒を使用するものである。
【背景技術】
【０００２】  従来、本考案の強化ガラスの破摧器は、オーナードライバーが自ら自動車用品店等で購入し、万一の閉じ込まれ事故に備えている現況にある。
又、緊急自動車（消防自動車を含む）では、常時装備されている。
本考案については、弊社が登録実用新案第３０５５４５９号で開示した、警棒の長手方向の両端部へ強化ガラス破摧器を挿入し固着嵌着して用いるものであったが、使用後脱離に手間が掛かり又、持ち運びが容易ではない事態があり、中止したのである。又同類の技術として特開２０００−２４６６６９号が開示されているが、一度使用すると警棒の再度の使用が不能となる欠点を有するものである。緊急、非常時に該事故現場等に遭遇するのは、交通警察官（白バイ隊員）或いは、通報によって現場にかけつけた警察官であり、自動車車内に閉じ込められた乗員の救助で強化窓ガラスを破摧する必要がある場合、ハンマー、石等の手近にある物品で強化ガラスを破摧しようとしても、該ガラス面にハンマーを含む鈍角な物品で打ち叩いても、該ガラスは、容易に破摧しないことは周知である。上述の理由によって警察官等が常に強化ガラスを破摧する器具（殆どがハンマー状或いは、スパナ状）を携帯することは、已に各種の必須装備を行っているため不可である。
【考案が解決しようとする課題】
【０００３】  上記の事由によって警察官等が事故現場等、緊急事態に強化ガラスの破摧を容易に、且つ瞬時に行えることを課題とし、早急な人身の救助を行うことを課題とするものである。
【課題を解決するための手段】
【０００４】  本考案は、上記の課題を解決するために成されたもので、警察官等が巡回中又交通警察官がパトロール中等の出動中携帯が義務付けられている警棒の長手方向の持手部即ち、握り部の後端部に該ガラス破摧器の要部を埋め込み蓋体を螺嵌状に被せて形成したものであって必要時にあっては、蓋体を回動させ蓋体中央部に設けた貫通孔より先端部が鋭角に形成した砲弾の頭部状の先端部位が突出するものである。
【０００５】  次に第２の手段として握り部の後端部に該ガラス破摧器の要部を回動させ所定の位置より上昇させるスパイラル方式を用いて蓋体の中央部に設けた貫通孔より先端部が回転しながら突出するものである。
【実施例】
【０００６】  以下本考案の第１実施例を添付図面に基づいて説明する。
図１に示す警棒（１）の基部（握り部）（２）の後端部（３）へ先端が鋭角状と成した砲弾形状の突起（４）を有する台座（５）を固着し突起（４）が基部（２）の中心部に該当するよう固定する。
次に基部（２）の後端部（３）に予め設けられた先筒（６）および中筒（７）の離脱を防止するため設けられた磁石の上部位へ上記台座（５）を固定する。
基部（２）の後端部（３）に設けた冠着状の蓋体（８）を螺嵌状に回動し伸縮自在とし封止する、該蓋体（８）の中央部には、台座（５）に設けた突起（４）が貫通する貫通孔（９）が穿設されているため蓋体（８）が下方に回動すると突起（４）が貫通孔（９）より突出し該突起（４）で強化ガラス面を殴打破摧するものであり本考案は図２に記載のような状態として構成したものである。【０００７】  次に第２実施例として上記のように台座（５）に固定された突起（４）が蓋体（８）が回動し下向すると自動的に突起（４）が蓋体（８）の貫通孔（９）より突出するのであるが本実施例によると台座（５）と共に突起（４）が蓋体（８）の空転回動により台座（５）と突起（４）が回動して上昇する構成としたものである。
【産業上の利用可能性】
【０００８】  本考案の強化ガラス破摧器は警棒と共に本件出願人が長年に亙って業として開発した多数の保安用品の一部である。
【図面の簡単な説明】
【０００９】
【図１】は本考案の警棒に装置した強化ガラス破摧器全体を示す説明図である。
【図２】強化ガラス破摧器の要部を拡大して表す各部位の断面説明図である。
【図３】強化ガラス破摧器の第２実施例の要部を拡大して表す各部位の断面説明図である。
【符号の説明】
【００１０】    １…警棒
２…警棒の基部（握り部）
３…基部の後端部
４…突起
５…台座
６…警棒の先筒
７…警棒の中筒
８…蓋体
９…蓋体の貫通孔。
【図１】
0003132208.tif 000003
【図２】
0003132208.tif 000004
【図３】
0003132208.tif 000005
【手続補正書】
【提出日】平成19年2月27日(2007.2.27)
【手続補正１】
【補正対象書類名】実用新案登録請求の範囲
【補正対象項目名】全文
【補正方法】変更
【補正の内容】
【実用新案登録請求の範囲】
【請求項１】
警察官等が常時携帯する警棒の基部即ち握り部の後端部へ伸縮自在とした強化ガラス破摧器を装置した警棒。
【請求項２】
上記、強化ガラス破摧器を無装着の警棒への後付けを可能とした請求項１に記載の強化ガラス破摧器を装置した警棒。
【請求項３】
上記、警棒に装置する強化ガラス破摧器は冠着状の蓋体が上下に回動する機構を有した請求項１に記載の強化ガラス破摧器を装置した警棒。
【請求項４】
上記の強化ガラス破摧器の冠着状の蓋体を空転状に回動する機構とした請求項１に記載の強化ガラス破摧器を装置した警棒。
(57)【要約】      （修正有）【課題】水分密度計や水分計の微少放射性同位元素が封入された線源の輸送時の梱包表面から漏洩する放射線量率を法令規制値以下に従来に増して安価で確実に安定した中性子線遮蔽が可能な輸送容器を提供する。【解決手段】中性子線の減衰材をパラフィンとし発泡樹脂鋳型で球体に鋳込む。その際にガンマー線減衰材である重金属製球体をパラフィンに鋳くるむ。発泡樹脂鋳型は離型せずに容器の緩衝材とパラフィンの補強材として利用する。【選択図】図１
0003132209.tif 000002
【実用新案登録請求の範囲】
【請求項１】
発泡樹脂鋳型にパラフィンを鋳込み、鋳込み後も発泡樹脂鋳型を離型せずに、これを緩衝材とパラフィンの補強材として利用する事を特徴とした放射線源輸送容器および放射線源保管容器。
【考案の詳細な説明】
【技術分野】
【０００１】  本考案は、放射性同位元素を用いた水分密度計および水分計の放射線源の輸送および保管に用いる容器に関するものである。
【背景技術】
【０００２】  放射線を利用した水分密度計や水分計は、ステンレス鋼棒に中性子線とガンマー線を放出する放射性同位元素が封入された線源棒を計器本体に組込み使用されている。当該計器に用いられている放射性同位元素の放射能は一般に３．７ＭＢｑ以下である。従来（平成１７年５月以前）は３．７ＭＢｑ以下の微少線源は放射性同位元素の関係法令では放射性同位元素と看做さないと定められていた。しかし、法令改正により平成１７年６月以降は適用対象になったことにより線源棒の輸送梱包表面に於ける放射線量率の規制値を従来に増して安価で確実に安定して確保することが出来る遮蔽容器が必要になった。【０００３】  放射線遮蔽材として中性子線に対してポリエチレン、パラフィンおよび水また、ガンマー線の遮蔽には鉛やタングステン合金等の重金属が広く用いられている。しかし、可搬性容器の中性子遮蔽材には強度と取扱い上の問題でポリエチレンが用いられるのが一般的であるがポリエチレンは材料および成型に多くの費用を要する。
【考案の開示】
【考案が解決しようとする課題】
【０００４】  前述した通り、線源棒を輸送する際の梱包表面に於ける漏洩放射線率を適正な数値にまで減衰させ且つ可搬型の放射線遮蔽容器の製作には多くの費用が必要となる。本考案は安価にして漏洩線量率を適正値まで減衰させた可搬型線源棒輸送容器で更に線源棒の保管容器にも使用できるものを実現することで前述の問題を解決しようとするものである。
【課題を解決するための手段】
【０００５】  本考案は、中性子線の減衰材をパラフィンとしパラフィンの鋳型に発泡樹脂を用いる。ガンマー線減衰材である重金属球体に線源棒挿入ガイドを付けたものを中心部に配置してこれをパラフィンで鋳くるむものとする。発泡樹脂鋳型はパラフィンの鋳込み後も離型せずにパラフィンの補強と輸送容器の緩衝材として利用する。【０００６】  上記の発泡樹脂鋳型の外表面を梱包表面として法令で定められた梱包表面に於ける漏洩線量率以下になるように発泡樹脂鋳型の外寸法を設定し、これを軽装箱に納めることで適法な輸送容器となり、また日常の線源棒保管容器にもなる。【０００７】  パラフィンは中性子線の減衰材としてポリエチレンと同等の機能を備えており融点は５０℃程度であり、発泡樹脂が鋳型としての耐熱性は十分である。
【考案の効果】
【０００８】  上述したように、中性子線減衰材を融点の低いパラフィンにしたことによりパラフィンの鋳型が発泡樹脂で可能になりその球体の成型も容易でコストの大幅低減が出来る。また発泡鋳型を離型せずにそのままで緩衝材とパラフィンの補強として利用するため輸送中の変形がなく軽装箱での外装で輸送容器兼日常の保管容器となり安価で軽量可搬化の効果がある。【０００９】  更に、発泡鋳型とパラフィンを離型せずに緩衝材として利用するために廃棄物の発生が殆ど無い。
【考案を実施するための最良の形態】
【００１０】  遮蔽効果を損ねることなく容器重量を可及的に軽減するために、遮蔽材は球体に作り、その中心部に放射性同位元素を収納することを基本形状とする。【００１１】  パラフィン球体を鋳込むために発泡樹脂を鋳型とし、その中心部にガンマー線減衰材である重金属に、より作られた球体を配置し、この球体には線源棒を挿入するためのガイド穴と管を設けておく。重金属球体と鋳型の間に溶融パラフィンを充填して凝固させ、鋳型から離型せずに発泡樹脂鋳型を緩衝材とパラフィンの補強材としてそのまま軽装箱に納める。
【実施例】
【００１２】  以下、本考案の実施の形態を図１〜図２に基づいて説明する。ガンマー線減衰材球体１を鉛等の重金属の鋳造で製作する。重金属鋳造に際して線源棒挿入管５を鋳くるむ。発泡樹脂鋳型（下型）４にポリエチレン支柱７を立て、ポリエチレン支柱７の上にガンマー線減衰材球体１を載せた状態にしてパラフィン注入口６を設けた発泡樹脂鋳型（上型）３を被せる。発泡樹脂鋳型の上・下型の合わせ面に接着剤を塗布する。上下鋳型が固着後に鋳型の上外面と内部の中空部に空気抜きの為の小径孔を適宜設けて加熱溶融したパラフィンを鋳型外上面まで注入する。【００１３】  パラフィンが凝固し常温まで冷却した後に発泡樹脂鋳型に囲われたままで外箱９に詰め外蓋１０を被せて線源棒挿入管５に線源棒を挿入してキャップ８で栓をして錠１１を施す。
【図面の簡単な説明】
【００１４】
【図１】  本考案の実施形態を示す輸送兼保管容器正面断面図である。
【図２】  同容器の図１におけるＡ−Ａ線断面図を示す。
【符号の説明】
【００１５】１    ガンマー線減衰材球体
２    パラフィン球体
３    発泡樹脂鋳型（上型）
４    発泡樹脂鋳型（下型）
５    線源棒挿入管
６    パラフィン注入口
７    ポリエチレン支柱
８    キャップ
９    外箱
１０  外箱蓋
１１  錠
【図１】
0003132209.tif 000003
【図２】
0003132209.tif 000004
【手続補正書】
【提出日】平成19年2月22日(2007.2.22)
【手続補正１】
【補正対象書類名】実用新案登録請求の範囲
【補正対象項目名】全文
【補正方法】変更
【補正の内容】
【実用新案登録請求の範囲】
【請求項１】
容器の中心部に放射線源収納部を設けたガンマー線減衰材の重金属球状体を配し、その周囲を中性子線減衰材としてのパラフィンで取巻いた放射線容器において、パラフィンの成型に発泡樹脂鋳型を用いた鋳造法を採るとき発泡樹脂鋳型にパラフィンを鋳込み凝固後も発泡樹脂鋳型を離型せずに、これを緩衝材とパラフィンの補強材として利用し発泡樹脂鋳型のまま外箱に収納することを特徴とした放射線源輸送容器及び放射線源保管容器。
(57)【要約】【課題】  本考案は、靴ベラを使用せずにスムーズに靴を履くことを可能にする。さらに、子供やお年寄りが簡単に靴を履くことを可能にする。【課題を解決するための手段】  伸縮性のある材料（織ゴムなど）で作られた部材３の端を靴の踵内側の底に取付け、反対側の端は踵から足首裏に添って立ち上げ、靴本体より上に引張る部分を出す。靴を履く場合は、引張る部分を手で引きながら履くことで、スムーズに靴が履ける。また別に、伸縮性のある材料からなる部材５の両端を、部材３と靴本体の踵部に取付けることで、部材３が靴内に倒れ込まない様にする。【選択図】図２
0003132207.tif 000002
【実用新案登録請求の範囲】
【請求項１】
靴の踵（かかと）部分の内側の底に、伸縮性のある材料（織ゴムなど）で作られた部材を取付け、部材の片方の端を踵から足首裏に添って立ち上げ、靴本体より上に出して引張る部分とし、靴を履く場合は、引張る部分を手で引きながら足を挿入することにより、靴ベラと同じ効果が得られ、スムーズに履けることを特徴とする靴。
【考案の詳細な説明】
【技術分野】
【０００１】  本考案は、靴の踵部分の内側に織ゴムなどを取付けることで、履くことを容易にした靴に関するものである。
【技術背景】
【０００２】  靴をスムーズに履くためには靴ベラを使用すれがよいが、靴ベラを持ち歩くのは不便である。靴ベラに替わる方法として、従来考案されているのは、踵部分に補強材等を使用し、踵部分が倒れ込んだり、潰れたりしない方法であったが、硬くて足にフィットしにくく、また、スニーカー等には不向きという難点があった。
【考案の開示】
【考案が解決しようとする課題】
【０００３】  靴ベラを使用せずにスムーズに履ける靴を作ること。さらに、子供やお年寄りが簡単に履ける靴作ることが課題である。
【課題を解決するための手段】
【０００４】  幅（２５〜４０ｍｍｍｍ程度）のある織ゴムなどの端を、靴の踵内側の底に取付け、片方の端は踵から足首裏に添って立ち上げ、靴本体より２０〜３０ｍｍ程度引張る部分を出す。立ち上げた織ゴムが靴内に倒れ込まない様に、幅１０ｍｍ程度の細目の織ゴムなどを足首裏に立ち上がった織ゴムの靴本体より少し下で取り付けて、この細目の織ゴム端を靴の外側に取付ける。靴を履く場合は、２０〜３０ｍｍ程度出た部分を手で引張りながら靴を履く。
【考案の効果】
【０００５】  靴ベラ等を使用せずにスムーズに靴が履ける。特にスニーカー等靴紐の付いた運動靴を履く際、足の指先の方を靴に入れながら、踵の織ゴムを引張りながら、挿入するので靴ベラと同じ効果が得られ、スムーズに靴が履ける。さらに、子供やお年寄りが靴を履く場合も簡単である。
【考案を実施するための最良の形態】
【０００６】  幅のある織ゴムを靴の踵部分の内側に取付け、引張りながら足を挿入することで、踵に添った形で挿入が容易であり簡単に靴が履ける。織ゴムなどを使用することにより、足にフィットして密着感が良く違和感が少なく、また、靴の対応範囲も広い。
【実施例】
【０００７】  以下、添付図面に従って実例を説明する。１は靴本体の側面部である。２は靴の中敷きである。３が本考案のポイントである織ゴムであり、幅は２５〜４０ｍｍ程度で、これを引張ることで靴ベラと同じ効果が得られ、スムーズに靴が履ける。４は靴底である。５は細めの織ゴムであり、幅は１０ｍｍ程度で、３の織ゴムが靴の内側に倒れ込まない様にするため、３の織ゴムに付けて、一方の端を靴の外側に取り付ける。
【図面の簡単な説明】
【０００８】
【図１】  本考案の、織ゴムを使用した靴ベラのいらない靴の実施例を示す側面図である。
【図２】  織ゴムを引張る状況を示した断面図である。
【図３】  細めの織ゴム５を後部から見た図である。
【符号の説明】
【０００９】  １  靴側面部
２  靴中敷き
３  織ゴム（幅が広く、手で引張る）
４  靴底部
５  織ゴム（細めであり、３の織ゴムの倒れ込みを防ぐ）
【図１】
0003132207.tif 000003
【図２】
0003132207.tif 000004
【図３】
0003132207.tif 000005
【手続補正書】
【提出日】平成19年2月23日(2007.2.23)
【手続補正１】
【補正対象書類名】実用新案登録請求の範囲
【補正対象項目名】全文
【補正方法】変更
【補正の内容】
【実用新案登録請求の範囲】
【請求項１】
靴の踵部分の内側の底に、織ゴムなど伸縮性のある材料で作られた部材を取付け、部材の片方の端を踵から足首裏に添って立ち上げ、靴本体より上に出して引張る部分とし、靴を履く場合は、引張る部分を手で引きながら足を挿入することにより、靴ベラと同じ効果が得られ、スムーズに履けることを特徴とする靴。
(57)【要約】【課題】  帽子を掛けた時に帽子の鍔が下に下がらないように安定させる。【解決手段】  帽子用円筒什器にアダプタを取り付けて、帽子の鍔が下に下がらないようすると共に、重心が前に傾かないようにアダプタ取付部の反対側の高さを少し短くして安定させる。【選択図】図３
0003132205.tif 000002
【実用新案登録請求の範囲】
【請求項１】
上端近傍にアダプタ取付孔を設けた円筒と該円筒の上端近傍に取付け得るアダプタとからなる帽子展示台である。前記アダプタは、取付部と帽子縁又は鍔受け部とが一体の板状部材からなり、舌片状掛け部と差込部挿通孔とを有する。前記取付部には、差込部挿通孔と上部が舌片状に切り込まれている。前記帽子縁又は鍔部受け部には、下部に前記差込部挿通孔を接続し、上部及び両側が切り込まれてなる長尺状の差込部を有する。
前記アダプタは、前記掛け部の下部を前記円筒の上端に掛け、前記差込部の先端を前記差込部挿通孔に挿通し、前記円筒に設けたアダプタ取付孔に挿通して、該円筒に取り付けられる。以上のことを特徴とする帽子展示台。
【請求項２】
前記円筒は、前記アダプタの取付部の反対側に傾きを与える接地端面を有することを特徴とする請求項１に記載の帽子展示台である。
【考案の詳細な説明】
【技術分野】
【０００１】  本考案は、帽子用円筒展示台に関する。
【技術背景】
【０００２】  円筒に帽子を掛けてより帽子を美しく展示させる為の帽子用展示台として、従来より知られている。
【考案の開示】
【考案が解決しようとする課題】
【０００３】  しかしながら、円筒に帽子を掛けると鍔が下にさがり、見栄えが悪いという欠点があった。
【課題を解決するための手段】
【０００４】  上端近傍にアダプタ取付孔を設けた円筒に、板状部材に切り込みを入れたアダプタを取り付け、鍔が下にさがらないようにする。又、円筒が前に傾かないようにアダプタ取付部の反対側の高さを少し短くし、重心が中心に来るようにした。
【考案の効果】
【０００５】  本考案に係る帽子用円筒展示台は、帽子をより美しく見せる為の展示台であり、容易に組み立て使用できる実用性に優れたものである。
【考案を実施するための最良の形態】
【０００６】  図１に示すように、板状の部材に切り込みを入れる。
図２に示すように、円筒の上部に切り込みを入れ、円筒の取付部の反対側の高さを少し短くする。
図３に示すように、板状の部材に切り込みを入れたアダプタをＬ字型に屈曲させて円筒のアダプタ取付孔に差し込み固定させる。
【図面の簡単な説明】
【０００７】
【図１】  本考案に係る帽子用円筒展示台のアダプタである。
【図２】  本考案に係る帽子用円筒展示台の一部を構成する円筒である。
【図３】  本考案に係る帽子用円筒展示台の完成図である。
【符号の説明】
【０００８】        １・・・取付部
２・・・鍔受け部
３・・・舌片状掛け部
４・・・差込部挿通孔
５・・・差込部
６・・・アダプタ
７・・・円筒
８・・・アダプタ取付孔
【図１】
0003132205.tif 000003
【図２】
0003132205.tif 000004
【図３】
0003132205.tif 000005
【手続補正書】
【提出日】平成19年2月16日(2007.2.16)
【手続補正１】
【補正対象書類名】実用新案登録請求の範囲
【補正対象項目名】全文
【補正方法】変更
【補正の内容】
【実用新案登録請求の範囲】
【請求項１】
上端近傍にアダプタ取付孔を設けた円筒と該円筒の上端近傍に取り付け得るアダプタとからなる帽子展示台であって、前記アダプタは、取付部と帽子縁又は鍔受け部とが一体の板状部材からなり、舌片状掛け部と差込部挿通孔とを有し、前記取付部には、差込部挿通孔と上部が舌片状に切り込まれ、前記帽子縁又は前記鍔受け部は、下部に前記差込部挿通孔を接続し、上部及び両側が切り込まれてなる長尺状の差込部を有し、前記アダプタは、前記掛け部の下部を前記円筒の上端に掛け、前記差込部の先端を前記差込部挿通孔に挿通し、前記円筒に設けたアダプタ取付孔に挿通して、該円筒に取り付けられることを特徴とする帽子展示台。
(57)【要約】【課題】  車椅子又は、補助椅子には背もたれが背中の部分にしか無く、自動車乗車時に於いて追突及び衝突時に鞭打ちの危険がある。従ってこの簡易式背もたれにより危険の回避が見られる。【解決手段】    車椅子又は、補助椅子の背もたれ部分に装着される座の位置から頭部の位置までのプラスチック素材からなる背もたれ本体。  該背もたれ本体の背を接する側に設けた低反発材とからなることを特徴とする車椅子又は、補助椅子の背もたれ。  背もたれ本体（１）空気又は、低反発材（２）からなる車椅子又は、補助椅子。【選択図】図１
0003132201.tif 000002
【実用新案登録請求の範囲】
【請求項１】
車椅子本体に簡易式の背もたれを設ける。
【考案の詳細な説明】
【技術分野】
【０００１】  本考案は、車椅子の背もたれ部分に簡易式の背もたれを設ける。
【背景技術】
【０００２】  車椅子運搬時に追突及び衝突の際鞭打ちの危険の恐れがある。又、自動車の折りたたみ式の補助椅子でも同様の危険がある。
【考案が解決しようとす課題】
【０００３】  車椅子には背もたれが背中の部分にしか無く、自動車乗車時に於いて追突及び衝突時に鞭打ちの危険がある。又、自動車の折りたたみ式補助椅子でも同様の危険がある。従ってこの簡易式背もたれにより危険の回避が見られる。
【課題を解決するための手段】
【０００４】  本考案は、車椅子の背もたれ部分に装着するだけで追突時及び衝突時に鞭打ちの危険回避が出来る。又、自動車の折りたたみ式補助椅子でも同様である。
【考案の効果】
【０００５】  上述のように、本考案は車椅子の背もたれ部分に装着することにより、追突時及び衝突時に鞭打ちの危険が回避できる。又、自動車の折りたたみ式補助椅子でも同様である。
【考案を実施するための最良の形態】
【０００６】  車椅子の座の位置から頭部の位置までとし、緩やかな曲線により構成され、頭部の位置には横ずれ防止のはみ出し部分を設ける。
【実施例】
【０００７】  以下、添付図面に従って−実施例を説明する。１は耐久性のプラスチック等適宜素材にて一体化形成された背もたれ本体、２は空気又は低反発材を使用し床ずれ防止をする。３は頭の部分が横にずれない様にする。
【図面の簡単な説明】
【０００８】
【図１】本考案の正面図である。
【図２】本体の側面図である。
【符号の説明】
【０００９】  １  背もたれ本体
２  クッション材
３  頭部横ずれ防止
【図１】
0003132201.tif 000003
【図２】
0003132201.tif 000004
【手続補正書】
【提出日】平成18年8月3日(2006.8.3)
【手続補正１】
【補正対象書類名】実用新案登録請求の範囲
【補正対象項目名】全文
【補正方法】変更
【補正の内容】
【実用新案登録請求の範囲】
【請求項１】
車椅子又は、補助椅子の背もたれ部分に装着される座の位置から頭部の位置までのプラスチック素材からなる背もたれ本体。
該背もたれ本体の背を接する側に設けた低反発材とからなることを特徴とする車椅子又は、補助椅子の背もたれ。
【請求項２】
前記背もたれ本体の東部の位置に、横ずれ防止はみ出し部分を有することを特徴とする。請求項１記載の車椅子又は、補助椅子の背もたれ。
【手続補正書】
【提出日】平成18年11月14日(2006.11.14)
【手続補正１】
【補正対象書類名】実用新案登録請求の範囲
【補正対象項目名】全文
【補正方法】変更
【補正の内容】
【実用新案登録請求の範囲】
【請求項１】
車椅子又は、補助椅子の背もたれ部分に装着される座の位置から頭部の位置までのプラスチック素材からなる背もたれ本体を有し、  該背もたれ本体の背を接する側に設けた低反発材とからなることを特徴とする車椅子又は、補助椅子の背もたれ。
【請求項２】
前記背もたれ本体の東部の位置に、横ずれ防止はみ出し部分を有することを特徴とする。請求項１記載の車椅子又は、補助椅子の背もたれ。
【手続補正書】
【提出日】平成19年2月21日(2007.2.21)
【手続補正１】
【補正対象書類名】実用新案登録請求の範囲
【補正対象項目名】全文
【補正方法】変更
【補正の内容】
【実用新案登録請求の範囲】
【請求項１】
車椅子又は、補助椅子の背もたれ部分に装着される座の位置から頭部の位置までのプラスチック素材からなる背もたれ本体を有し、  該背もたれ本体の背を接する側に設けた低反発材とからなることを特徴とする車椅子又は、補助椅子の背もたれ。
【請求項２】
前記背もたれ本体の頭部の位置に、横ずれ防止はみ出し部分を有することを特徴とする請求項１記載の車椅子又は、補助椅子の背もたれ。
(57)【要約】【課題】ミュールサンダル着用時、踵がソールから離れることで起きる不快な音とズボンの裾の不快な巻き込みを減らす機能のあるミュールストラップと、ブーツの上に着用するアクセサリーであるブーツアンクレットとの両方に兼用できる構造の、季節を問わず使用可能なシューズアクセサリーを提供する。【解決手段】ミュールストラップとして使用する際は、図１Ｂの様にミュールのヒールに４を通して、３を足首甲側に沿わせ、１を４に通してから長さ調節して２で固定する。ブーツアンクレットとして使用する際は、図１Ｃの様にブーツ足首周りに３と４を回して、１を４に通してから長さ調節して２で固定する。また、ブーツに使用する場合、図１Ｄの様に図１Ｃと左右逆に着用することで、前後のデザインを逆にすることも出来、更に応用範囲が広くなる。【選択図】図１
0003132210.tif 000002
【実用新案登録請求の範囲】
【請求項１】
女性がヒール付きミュールサンダルを着用しての歩行時に、踵がインソール部と離れることが原因でヒールと地面がぶつかって起きるパタパタ音と、踵とインソールの間にズボンの裾が巻き込まれる不快感をミュールサンダルと足を固定することで減らす機能を持つ、アクセサリーパーツで出来たミュールストラップと、ブーツの足首に着用してデザイン上の変化を持たせるアクセサリーであるブーツアンクレットの機能を併せ持ったミュールストラップ兼ブーツアンクレット。
【考案の詳細な説明】
【技術分野】
【０００１】  本考案は、ミュールサングルと足を固定することが可能であり、ブーツ足首に着用してブーツアンクレットとしても使用できるシューズアクセサリー、ミュールストラップ兼ブーツアンクレットに関するものである。
【背景技術】
【０００２】  従来、ミュール着用時の不便を減らす機能を持つアクセサリーであるミュールストラップとブーツ上に着用するアクセサリーであるブーツアンクレットは各々の目的に向けて単品で企画されて販売されていた為、ミュールストラップとブーツアンクレットを兼用する目的で作られたシューズアクセサリーは開発されていなかった。
【考案が解決しようとする課題】
【０００３】  解決しようとする問題点は、ミュールサンダルの着用は主に春夏に多く、秋冬にミュールストラップはあまり使用できない。一方ブーツは秋冬の使用が多く、ブーツアンクレットは春夏にはあまり使えないという点である。
【考案を解決するための手段】
【０００４】  比較的春夏の着用が多い靴種であるミュールと、主に秋冬の着用が多いブーツの２種類の靴種に兼用できるシューズアクセサリー、ミュールストラップ兼ブーツアンクレットを開発することである。
【考案の効果】
【０００５】  １つのシューズアクセサリーを購入することで２靴種（ブーツとミュール）に着用できて、季節問わず足元を飾ることが可能となり、足元のおしゃれの幅が広がることが利点である。（ミュールに着用する場合は、歩行時の不便な点（ヒールのパタパタ音、ズボンの巻き込みが減ることも便利な点である。）
【考案を実施するための最良の形態】
【０００６】本考案図１Ａを図１Ｂ、Ｃ、Ｄの様に、ミュール（Ｂ）、ブーツ（Ｃ、Ｄ）に取り付けた。
【実施例１】
【０００７】  図１Ｂはミュールサンダル着用時の右足を、内側から見ているものである。４をヒールに通してミュールを着用し、４をヒール根元前に引っ掛けて固定し、かかと上に４の一部を持ってきて３を足外側から足首（甲側）に添わせて、足内側くるぶし付近で１を４に通し、アジャスターで長さ調節し、２の留め具で固定する。【０００８】  図１Ｃは、ブーツ着用時の右足を、内側から見ているものである。図１Ｃのように足首周りに３と４の部分を回したら、輪である４に１を通して、長さ調節して２の留め具で固定する。【０００９】  図１Ｄは、図１Ｃとは足左右を逆にして、左足甲側に４がくる様に着用した左足を内側から見ているものである。本考案は、ブーツに図１Ｄの様に図１Ｃとは反対向きに使えることによって、ブーツアンクレットとしてもデザインの可能性を広げるものである。
【図面の簡単な説明】
【００１０】
【図１】ミュールストラップ兼ブーツアンクレットの使用方法を示した説明図である。
【符号の説明】
【００１１】Ａ本考案の全体図
Ｂミュール右足に本考案を着用して足内側から見た図
Ｃブーツ右足に本考案を着用して足内側から見た図
Ｄブーツ左足に本考案を着用して足内側から見た図
１アジャスター（長さ調節部分）
２留め具
３アクセサリー部分
４環状になっているアクセサリー部分
【図１】
0003132210.tif 000003
【手続補正書】
【提出日】平成19年3月6日(2007.3.6)
【手続補正１】
【補正対象書類名】実用新案登録請求の範囲
【補正対象項目名】請求項１
【補正方法】変更
【補正の内容】
【請求項１】
足を通す環状のアクセサリー部と、当該環状部の１点に片端が接し、反対側の端には留め具と長さ調節部が設けられている線状アクセサリー部と、を備えたミュールストラップ兼ブーツアンクレット
(57)【要約】【課題】  本考案は旅行カバンのこまだけを頼りに雪道や雪が凍ったアイスバンの道を押していた。【解決手段】  旅行カバン水ぬきＬ型板を使用すれば雪道やアイスバンの道や砂浜で、より楽に旅行カバンを引き歩くことが出来る、この水ぬきＬ型板の特徴は、１  天面には箱がある。２  水ぬき穴がある。３  外側には山形の出歯り羽がある。【選択図】図３
0003132260.tif 000002
【実用新案登録請求の範囲】
【請求項１】
木製又金属又プラスチックからなる一枚板がＬ型に折り曲げられ旅行カバンを載せ得る水ぬきＬ型板であって前記一枚板の天面には、箱状に切りぬき箱がありＬ型の底面には旅行カバンのこまの数により切りぬき穴があり前記、水ぬきＬ型板の切りぬき箱の底部及びＬ型の底面には、複数の水ぬき穴が設けられていることを、特徴とする水ぬきＬ型板。
【考案の詳細な説明】
【技術分野】
【０００１】  旅行カバンを載せ得る水ぬきＬ型板に関する。
【背景技術】
【０００２】  旅行カバンのこまだけをたよりに、雪道であれ、雪が凍ったアイスバンの道であれ、砂浜であれ、無理にも旅行カバンを引き歩いていた。
【考案の開示】
【考案が解決しようとする課題】
【０００３】  天気の日ばかりではなく雪道にもなり、雪が凍ってアイスバンの道になったりもする道を旅行カバンのこまだけを、たよりにしていた為、欠点がある。
【課題を解決するための手段】
【０００４】  木製又金属又プラスチックからなる、一枚板がＬ型に折り曲げられ旅行カバンを載せ得る水ぬきＬ型板であって、前記一枚板の天面には箱状に切りぬき箱があり、Ｌ型の底面には旅行カバンのこまの数により切りぬき穴があり、前記、水ぬきＬ型板の切りぬき箱の底部及びＬ型の底面には複数の水ぬき穴が設けられている事を、特徴とする水ぬきＬ型板、これにより上記課題を解決するものである。
【考案を実施するための最良の形態】
【０００５】  図１に示すように、金属又木製又プラスチックからなる一枚板がＬ型に折り曲げられ、旅行カバンを載せ得る水ぬきＬ型板であり水ぬきＬ型状に旅行カバンを載せた状態の図であり斜視図である、次に図２に示す通り、水ぬきＬ型板の斜視図である、次に図３に示す通り、水ぬきＬ型板の断面図である。  １・・・箱状の切りぬき箱。  ２・・・水抜き穴。  ３・・・旅行カバンのこまの穴。  ４・・・出歯り羽。【０００６】  次に図４に示すように水ぬきＬ型板を真上からみる図であり、下に見えるのは、箱状に切りぬいた箱であり、パンフレットやノートを入れる箱であり、米印に見えるのは、水ぬきに切り込みがあり、黒い丸に見えるのは旅行カバンのこまになる部分を切りぬいたものである、次に図５は米印に見えるのは水ぬきＬ型の内側になる部分であり、雨や雪による、水ぬきに切り込み入れ、黒い点に見えるのは水ぬき穴になる部分である、次に図６は水ぬきＬ型の外側の側面になる部分であり、山形の出歯り羽である。【０００７】  上記工程により完成した考案の旅行カバン、水ぬきＬ型板で旅行カバンを載せて完全に固定させ、砂浜や雪道を滑らせる事が出来る。
【考案の効果】
【０００８】  本考案に係る、旅行カバン水ぬきＬ型板は簡単な構成で製造する事が出来、金属又木製又、プラスチックのものを採用しているので、軽量化を図ることが出来、実用性にも優れたものである。
【図面の簡単な説明】
【０００９】
【図１】本考案に係る、旅行カバン水ぬきＬ型板の斜視図である。
【図２】本考案に係る、水ぬきＬ型板の斜視図である。
【図３】本考案に係る、水ぬきＬ型の断次図である。
【図４】本考案に係る、水ぬきＬ型板を真下に見る正面図である。
【図５】、本考案に係る、水ぬきＬ型板を真正面から見る正面図である。
【図６】、本考案に係る、水ぬきＬ型を真後ろから見る正面図である。
【符号の説明】
【００１０】  １・・・箱状に切りぬいた箱。  ２・・・水ぬきＬ型に溜まる水ぬき穴。  ３・・・旅行カバンのこまの穴。  ４・・・山形の出歯り羽
【図１】
0003132260.tif 000003
【図２】
0003132260.tif 000004
【図３】
0003132260.tif 000005
【図４】
0003132260.tif 000006
【図５】
0003132260.tif 000007
【図６】
0003132260.tif 000008